(57)【要約】【課題】ストロボの光を均一に照射するための拡散板の装着が可能なカメラ用防水ケースにおいて、拡散板を外すと、拡散板が潮流に流されて撮影画角に入ってしまうことがある。【解決手段】カメラ用防水ケースに外した拡散板を収納するスペースを設けた。【選択図】        図１
2004325752.tif 000002
【特許請求の範囲】
【請求項１】
ストロボを具備した撮像装置を内部に包括可能なハウジングで構成された防水ケースにおいて、
ストロボからの光を拡散する拡散板を取り付け可能な第１の拡散板取り付け部と、前記拡散板を収納する第２の拡散板取り付け部を有することを特徴とする防水ケース。
【請求項２】
前記第１の拡散板取り付け部は前記撮像装置のレンズ面と平行または略平行な面に設けられると共に、前記第２の拡散板取り付け部は前記第１の拡散板取り付け部と直交または略直交する面に設けられていることを特徴とする請求項１に記載の防水ケース。
【請求項３】
前記ハウジングは前ケースと後ケース及びこれらを開閉自在にするための蝶番部と、パッキンで構成されていることを特徴とする請求項１または２に記載の防水ケース。
【発明の詳細な説明】
【０００１】
【発明の属する技術分野】
本発明は主にデジタルスチルカメラ（以下、「デジタルカメラ」と呼ぶ）を内部に入れて水中撮影など防水機能が必要な状況で使用する防水ケースの拡散板収納部に関するものである。
【０００２】
【従来の技術】
近年、デジタルカメラは銀塩カメラ市場を席巻する勢いでその市場を拡大しており、その使用環境も陸上だけではなく水辺やダイビングなど多岐にわたるようになってきている。ダイビング専用に防水仕様のデジタルカメラも登場してきているが、最もポピュラーなものに水中撮影や水辺など防水機能が必要な撮影の時のみ通常のデジタルカメラを内部に取り付けて使用される防水ケースがある（例えば、非特許文献１参照）。
【０００３】
ここで、従来のデジタルカメラ用防水ケースを図４で説明する。
【０００４】
図４は従来デジタルカメラ用防水ケースの概略斜視図であり、１０１は内部に不図示のデジタルカメラが取り付け可能な防水ケースである。防水ケース１０１は透明ポリカーボネート（ＰＣ）材で成形された前ケース１０２、後ケース１０３、これらを開閉自在にするための蝶番部１０４、後ケース１０３の不図示の溝に具備された不図示のパッキン、前ケース１０２と後ケース１０３を堅固に閉じるためのグリップ１０５で構成されている。
【０００５】
前ケース１０２にはレンズ窓１０６、操作ボタン１０７、拡散板取り付け部１０８が具備され、後ケース１０３にも操作ボタン１１１が具備されている。拡散板１０９の穴１０９ａにはヒモ１１０の一方が結ばれ、他方を前ケース１０２のフック部に結ぶことで防水ケース１０１から外れないようになっている。不図示のデジタルカメラには内蔵ストロボが具備され、この内蔵ストロボの発光パネルと正対するとともに配光角をカバーする大きさの拡散板１０９が拡散板取り付け部１０８に着脱可能に取り付けられている。
【０００６】
水中でストロボ撮影を行う際に、拡散板取り付け部１０８から拡散板１０９を外して撮影すると前ケース１０２が透明ＰＣ材のため内蔵ストロボの光は、ほぼ減衰することなく所定の配光角で被写体に照射されるが、デジタルカメラの鏡筒周囲を覆っているレンズ窓１０６が配光角の内側にあるために照射光の一部がレンズ窓１０６によって遮られてしまう。この結果、撮影した画像の右隅の明るさが他の部分よりか暗くなってしまっていた。そこで、拡散板１０９を障害物であるレンズ窓１０６と略同一面に取り付けることで、内蔵ストロボの光を拡散板１０９によって拡散し、撮影画像の明るさに不均一が生じないようにした。
【０００７】
【非特許文献１】
ＣＡＮＯＮ  ＩＸＹ  ＤＩＧＩＴＡＬ  ４００（カタログ），２００３年２月，ｐ．１０
【０００８】
【発明が解決しようとする課題】
拡散板１０９によってストロボ光を拡散して明るさを均一にすることは、逆に中央のピーク光量を減らすことであるため、撮影シーンによっては敢えて拡散板１０９を外して欲しい光量で撮影し、撮影後トリミング操作によって明るさの不均一部を取り除く手法をとるユーザーもいた。この拡散板１０９を外して撮影する際に、従来の防水ケースには外した拡散板を収納する場所がなかったために、海中であれば撮影の向きによっては潮流によって外した拡散板が撮影画角に入ってしまうことがあった。
【０００９】
そこで、本出願に係る発明の目的は大型化せずに拡散板収納部を防水ケースに設け拡散板の使い勝手を向上させることである。
【００１０】
【課題を解決するための手段】
上記課題を解決するため、本発明は、ストロボを具備した撮像装置を内部に包括可能なハウジングで構成された防水ケースにおいて、ストロボからの光を拡散する拡散板を取り付け可能な第１の拡散板取り付け部と、拡散板を収納する第２の拡散取り付け部を有することを特徴とする
【００１１】
【発明の実施の形態】
（第１の実施の形態）
以下に本発明第１の実施の形態について説明する。
【００１２】
図１は本実施の形態を示す概略斜視図あり、１は内部に不図示のデジタルカメラが取り付けられている防水ケースである。防水ケース１は透明ポリカーボネート（ＰＣ）材で成形された前ケース２、後ケース３、これらを開閉自在にするための蝶番部４、後ケース３の不図示の溝に具備された不図示のパッキン、前ケース２と後ケース３を堅固に閉じるためのグリップ５で構成されている。前ケース２にはレンズ窓６、操作ボタン７、拡散板取り付け部８及び拡散板収納部９が具備され、後ケース３にも操作ボタン１０が具備されている。拡散板１１の穴１１ａにはヒモ１２の一方が結ばれ、他方を前ケース２のフック部に結ぶことで拡散板が防水ケース１から外れないようになっている。不図示のデジタルカメラには内蔵ストロボが具備され、この内蔵ストロボの発光パネルと正対するとともに配光角をカバーする大きさの拡散板１１が拡散板取り付け部８に不図示のクリックで着脱可能に取り付けられている。なお、拡散板１１はストロボからの照射光を遮るレンズ窓６と同一、あるいは、略同一となる面に配置される。
【００１３】
言い換えれば、拡散板取り付け部８によって拡散板１１は内包されているデジタルカメラのレンズ面と平行、あるいは、略平行に防水ケース１に取り付けられており、拡散板を使用したストロボ撮影時、撮影レンズに対して正しい配光が照射できるようになっている。
【００１４】
水中でストロボ撮影を行う際に、本実施の形態では拡散板１１を使用しない場合には拡散板取り付け部８と９０度、あるいは、略９０度の角度に配置された拡散板収納部９に図２のように拡散板１１を収納することが出来る。拡散板収納部９は元々拡散板取り付け部８を支えるためのリブのあったスペースのため防水ケースを大型化することなく拡散板の収納スペースを確保することが可能となった。これにより、拡散板を外した撮影の際に発生する全ての不具合が解決された。本実施の形態での拡散板収納部９は図２のようにケース上部の水平面上に形成されているが図２中のＡ面（ケース側部の垂直面）上に形成されても何ら支障は無い。
【００１５】
（第２の実施の形態）
図３は本発明の第２の実施の形態を説明するための概略側面図である。図中、第１の実施の形態と同じ構成部品は同番号を付与し説明を省略する。
【００１６】
拡散板２１は上端に回動軸２１ａを有し、拡散板取り付け部２２に回動自在に支持されている。本図の位置は拡散板使用位置であり、非使用時には不図示のクリックを外してＢ方向に略２７０°回動させ、拡散板使用位置から拡散板収納部２３に収納することが可能となっている。本第２の実施の形態では、拡散板を結んでいたヒモが必要なくなり、使用状態と非使用状態の切り換えも拡散板２１を回動させるだけで済み、より使い勝手が向上した防水ケースとなっている。
【００１７】
【発明の効果】
以上説明したように、本発明によれば、拡散板の使い勝手を向上させた防水ケースを提供することができる。
【図面の簡単な説明】
【図１】本発明第１の実施の形態における拡散板使用時の防水ケースの概略斜視図である。
【図２】本発明第１の実施の形態における拡散板収納時の防水ケースの概略斜視図である。
【図３】本発明第２の実施の形態における防水ケースの概略側面図である。
【図４】従来の防水ケース概略斜視図である。
【符号の説明】
１  防水ケース
２  前ケース
３  後ケース
４  蝶番部
５  グリップ
６  レンズ窓
７  操作ボタン
８，２２  拡散板取り付け部
９，２３  拡散板収納部
１０  操作ボタン
１１，２１  拡散板
１２  ヒモ
【図１】
2004325752.tif 000003
【図２】
2004325752.tif 000004
【図３】
2004325752.tif 000005
【図４】
2004325752.tif 000006